(57)【特許請求の範囲】
【請求項１】
アナログテレビジョン信号又はデジタルテレビジョン信号に基づく中間周波数帯のテレビジョン信号が入力され、ＡＧＣ電圧によって前記中間周波数帯のテレビジョン信号のレベルを変えて出力する信号レベル制御手段と、前記信号レベル制御手段から出力される前記中間周波数帯のテレビジョン信号を検波して直流電圧を出力すると共に前記直流電圧を前記ＡＧＣ電圧として前記信号レベル制御手段に入力する検波手段とを備え、前記信号レベル制御手段の出力端と前記検波手段の入力端との間には、受信チャンネルの前記中間周波数帯における音声中間周波数の信号の通過を阻止して映像中間周波数の信号を通過する第一の帯域通過手段と、少なくとも前記受信チャンネルの中間周波数帯における全ての信号を通過する第二の帯域通過手段とからなる帯域選択手段を設け、前記信号レベル制御手段に前記アナログテレビジョン信号に基づく中間周波数帯のテレビジョン信号が入力されたときには前記第一の帯域通過手段を介して前記中間周波数帯のテレビジョン信号を前記検波手段に入力し、前記デジタルテレビジョン信号に基づく中間周波数帯のテレビジョン信号が入力されたときには前記第二の帯域通過手段を介して前記中間周波数帯のテレビジョン信号を前記検波手段に入力したことを特徴とするＡＧＣ回路。
【請求項２】
前記第一の帯域通過手段を第一のバンドパスフィルタで構成し、前記信号レベル制御手段を前記検波手段に接続するバイパス線路で前記第二の帯域通過手段を構成したことを特徴とする請求項１記載のＡＧＣ回路。
【請求項３】
前記第一の帯域通過手段を第一のバンドパスフィルタで構成し、前記中間周波数帯域を通過帯域とする第二のバンドパスフィルタで前記第二の帯域通過手段を構成したことを特徴とする請求項１記載のＡＧＣ回路。
【請求項４】
前記帯域選択手段には前記中間周波数帯域のほぼ最高周波数をカットオフ周波数とするローパスフィルタと、前記音声中間周波数と前記映像中間周波数との間にカットオフ周波数を有する第一のハイパスフィルタと、前記中間周波数帯のほぼ最低周波数をカットオフ周波数とする第二のハイパスフィルタとを設け、前記信号レベル制御手段に前記アナログテレビジョン信号に基づく中間周波数帯の信号が入力されたときには前記ローパスフィルタと前記第一のハイパスフィルタとを直列に接続すると共に前記第一の帯域通過手段を構成し、前記デジタルテレビジョン信号の基づく中間周波数帯の信号が入力されたときには前記ローパスフィルタと前記第二のハイパスフィルタとを直列に接続すると共に前記第二の帯域通過手段を構成したことを特徴とする請求項１記載のＡＧＣ回路。
【発明の詳細な説明】
【０００１】
【発明の属する技術分野】
本発明は、テレビジョン信号送信機等に使用されるＡＧＣ回路に関し、詳しくは、アナログテレビジョン信号またはデジタルテレビジョン信号を送信するＣＡＴＶシステム用のテレビジョン信号送信機に好適なＡＧＣ回路に関する。
【０００２】
【従来の技術】
図４は従来のＡＧＣ回路であり、テレビジョンの中間周波数帯の信号（中間周波信号という）が入力される信号レベル制御手段２１は可変減衰回路あるいは可変利得増幅回路等から構成され、その出力レベルはＡＧＣ電圧によって制御される。この中間周波信号としては、受信した他のテレビジョン信号の再送信のための中間周波信号が用いられたり、録画した自主制作番組のための中間周波信号が用いられたりするが、いずれにしても、音声中間周波信号の周波数（音声中間周波数という）よりも映像中間周波信号の周波数（映像中間周波数という）が高く、例えば、米国仕様では音声中間周波信号は４１．２５ＭＨｚ、映像中間周波信号は４５．７５ＭＨｚである。
【０００３】
そして、信号レベル制御手段２１から出力された中間周波信号は図示しない周波数変換回路によって所定のチャンネルのテレビジョン信号に周波数変換され、ＣＡＴＶシステム等の加入者に送信される。
【０００４】
一方、信号レベル制御手段２１から出力された中間周波信号は、映像中間周波信号を抽出するフィルタ手段２２にも入力される。フィルタ手段２２は、例えば、映像中間周波数に同調する単同調回路等のバンドパスフィルタや、音声中間周波数と映像中間周波数との間にカットオフ周波数を有するハイパスフィルタや、音声中間周波数を減衰するトラップ回路等のバンドエルミネートフィルタ（帯域消去フィルタ）等で構成される。
従って、フィルタ手段２２は音声中間周波信号を除去して映像中間周波信号のみを抽出する。
【０００５】
抽出された映像中間周波信号は中間周波増幅回路２３によって増幅された後、検波手段２４によって検波され、中間周波信号のレベルに比例する直流電圧（検波電圧）が得られる。検波手段２４は二個のダイオード２４ａ、２４ｂからなる周知のダイオード検波回路等で構成される。
【０００６】
検波電圧は直流増幅回路２５によって所定のレベルまで増幅され、その出力電圧はＡＧＣ電圧として信号レベル制御手段２１の制御端に入力される。
【０００７】
以上の構成において、検波電圧は入力された中間周波信号のレベルに比例して出力されるので、この電圧をＡＧＣ電圧として信号レベル制御手段２１に入力することで信号レベル制御手段２１から出力される中間周波信号のレベルはほぼ一定となるように制御される。
【０００８】
【発明が解決しようとする課題】
しかし、従来のＡＧＣ回路は、既存のアナログテレビジョン信号に対応するものであり、フィルタ手段によって音声中間周波数帯が減衰しているので、デジタルテレビジョン信号の送信時にこのまま使用すると、検波手段から出力される検波電圧が低下して正確なＡＧＣ動作が行われないという問題が発生する。
【０００９】
即ち、デジタルテレビジョン信号においては、アナログテレビジョン信号のように、映像信号および音声信号によってそれぞれ変調される特定の搬送波が存在せず、中間周波数帯の全域における極めて多数の周波数（数百乃至数千）成分が映像信号及び音声信号に基づくデジタル信号によってデジタル変調されている。そのため、音声中間周波数帯が減衰していると、その分だけ検波手段に入力されるデジタルテレビジョン信号の電力が低下し、その結果、検波電圧が低下する。
【００１０】
そこで、本発明のＡＧＣ回路は、アナログテレビジョン信号の送信時とデジタルテレビジョン信号の送信時とのいずれにおいても確実にＡＧＣがかかるようにすることを目的とする。
【００１１】
上記の課題を解決する手段として、本発明のＡＧＣ回路は、アナログテレビジョン信号又はデジタルテレビジョン信号に基づく中間周波数帯のテレビジョン信号が入力され、ＡＧＣ電圧によって前記中間周波数帯のテレビジョン信号のレベルを変えて出力する信号レベル制御手段と、前記信号レベル制御手段から出力される前記中間周波数帯のテレビジョン信号を検波して直流電圧を出力すると共に前記直流電圧を前記ＡＧＣ電圧として前記信号レベル制御手段に入力する検波手段とを備え、前記信号レベル制御手段の出力端と前記検波手段の入力端との間には、受信チャンネルの前記中間周波数帯における音声中間周波数の信号の通過を阻止して映像中間周波数の信号を通過する第一の帯域通過手段と、少なくとも前記受信チャンネルの中間周波数帯における全ての信号を通過する第二の帯域通過手段とからなる帯域選択手段を設け、前記信号レベル制御手段に前記アナログテレビジョン信号に基づく中間周波数帯のテレビジョン信号が入力されたときには前記第一の帯域通過手段を介して前記中間周波数帯のテレビジョン信号を前記検波手段に入力し、前記デジタルテレビジョン信号に基づく中間周波数帯のテレビジョン信号が入力されたときには前記第二の帯域通過手段を介して前記中間周波数帯のテレビジョン信号を前記検波手段に入力した。
【００１２】
また、本発明のＡＧＣ回路は、前記第一の帯域通過手段を第一のバンドパスフィルタで構成し、前記信号レベル制御手段を前記検波手段に接続するバイパス線路で前記第二の帯域通過手段を構成した。
【００１３】
また、本発明のＡＧＣ回路は、前記第一の帯域通過手段を第一のバンドパスフィルタで構成し、前記中間周波数帯域を通過帯域とする第二のバンドパスフィルタで前記第二の帯域通過手段を構成した。
【００１４】
また、本発明のＡＧＣ回路は、前記帯域選択手段には前記中間周波数帯域のほぼ最高周波数をカットオフ周波数とするローパスフィルタと、前記音声中間周波数と前記映像中間周波数との間にカットオフ周波数を有する第一のハイパスフィルタと、前記中間周波数帯のほぼ最低周波数をカットオフ周波数とする第二のハイパスフィルタとを設け、前記信号レベル制御手段に前記アナログテレビジョン信号に基づく中間周波数帯の信号が入力されたときには前記ローパスフィルタと前記第一のハイパスフィルタとを直列に接続すると共に前記第一の帯域通過手段を構成し、前記デジタルテレビジョン信号の基づく中間周波数帯の信号が入力されたときには前記ローパスフィルタと前記第二のハイパスフィルタとを直列に接続すると共に前記第二の帯域通過手段を構成した。
【００１５】
【発明の実施の形態】
以下、本発明のＡＧＣ回路を図面に従って説明する。図１は本発明のＡＧＣ回路の第一の実施の形態を示す回路図であり、アナログテレビジョン信号又はデジタルテレビジョン信号に基づく中間周波数帯のテレビジョン信号（中間周波信号という）は信号レベル制御手段１に入力される。信号レベル制御手段１は可変減衰回路あるいは可変利得増幅回路等から構成され、その出力レベルはＡＧＣ電圧によって制御される。
【００１６】
ここで、中間周波信号としては、受信した他のシステムのテレビジョン信号に基づくものが用いられたり、録画した自主制作番組に基づくものが用いられたりするが、アナログテレビジョン信号の基づく場合は、音声中間周波信号の周波数（音声中間周波数という）よりも映像中間周波信号の周波数（映像中間周波数という）が高く、例えば、米国仕様では音声中間周波信号は４１．２５ＭＨｚ、映像中間周波信号は４５．７５ＭＨｚとなっている。
【００１７】
一方、デジタルテレビジョン信号に基づく中間周波信号である場合では、中間周波数帯の全域における極めて多数の周波数（数百乃至数千）成分が映像信号及び音声信号に基づくデジタル信号によってデジタル変調されているため、特定の映像搬送及び音声搬送波は存在しない。
【００１８】
そして、信号レベル制御手段１から出力された中間周波信号は図示しない周波数変換回路によって所定のチャンネルのテレビジョン信号に周波数変換され、ＣＡＴＶシステム等の加入者に送信される。
【００１９】
一方、信号レベル制御手段１から出力された中間周波信号は、帯域選択手段２に入力される。帯域選択手段２は、受信チャンネルにおける中間周波数帯における映像中間周波数を通過し、音声中間周波数を阻止する第一の帯域通過手段である第一のバンドパスフィルタ３と、少なくとも中間周波数帯の全体域を通過する第二の帯域通過手段であるバイパス線路４と切替手段５、６とを有し、切替手段５、６によって第一のバンドパスフィルタ３またはバイパス線路４のいずれかが選択される。
【００２０】
そして、中間周波信号は第一のバンドパスフィルタ３又はバイパス線路４のいずれかを介して中間周波増幅回路７に入力される。ここで増幅された中間周波信号は検波手段８によって検波されて直流電圧（検波電圧）を出力する。検波電圧は信号レベル制御手段１に入力される中間周波信号のレベルに比例する。検波手段８は二個の検波ダイオード８ａ、８ｂからなる周知のダイオード検波回路等で構成される。
【００２１】
検波電圧は直流増幅回路９によって所定のレベルまで増幅され、その出力電圧はＡＧＣ電圧として信号レベル制御手段１の制御端に入力される。この結果、信号レベル制御手段１から出力される中間周波信号のレベルはほぼ一定となるように制御される。
【００２２】
以上の構成において、帯域選択手段２においては、信号レベル制御手段１に入力される中間周波信号がアナログテレビジョン信号に基づくものであれば第一のバンドパスフィルタ３が選択される。すると、検波手段８からは映像中間周波信号のみによる検波電圧が得られる。この結果、信号レベル制御手段１は映像信号に基づいてＡＧＣ動作が行われる。
【００２３】
一方、信号レベル制御手段１に入力される中間周波信号がデジタルテレビジョン信号に基づくものであれば、バイパス線路４が選択される。この結果、中間周波数帯の全体域の信号が検波されるので、検波電圧の低下はない。そして、第二の帯域通過手段としてバイパス線路４を用いるので構成が簡単となる。
【００２４】
図２は本発明のＡＧＣ回路における第二の実施の形態を示し、図１に示すバイパス線路４の代わりに第二のバンドパスフィルタ１１を設けた構成となっている。第二のバンドパスフィルタ１１は中間周波数帯の全体域を通過帯域とするように構成されている。従って、信号レベル制御手段１に入力される中間周波信号がデジタルテレビジョン信号に基づくものであれば、第二のバンドパスフィルタ１１が選択されて中間周波数帯の全体域の信号が検波手段８に入力される。そして、第二の帯域通過手段として第二のバンドパスフィルタ１１を用いるので、中間周波数帯域外の信号による誤った検波電圧を検波することもない。
【００２５】
図３は本発明のＡＧＣ回路における第三の実施の形態を示し、帯域選択手段２はローパスフィルタ１２と第一のハイパスフィルタ１３と第二のハイパスフィルタ１４とを有している。そして、切替手段５、６によって第一のハイパスフィルタ１３又は第二のハイパスフィルタ１４が直列に接続されるようになっている。
【００２６】
ローパスフィルタ１２は中間周波数帯域のほぼ最高周波数にカットオフ周波数を有し、第一のハイパスフィルタ１３は中間周波数帯域における音声中間周波数と映像中間周波数との間にカットオフ周波数を有し、また、第二のハイパスフィルタ１４は、中間周波数地域のほぼ最低周波数にカットオフ周波数を有している。
【００２７】
そして、信号レベル制御手段にアナログテレビジョン信号に基づく中間周波数帯の信号が入力されたときには、第一のハイパスフィルタ１３を選択してローパスフィルタと第一のハイパスフィルタとを直列に接続すると共に第一の帯域通過手段を構成し、デジタルテレビジョン信号の基づく中間周波数帯の信号が入力されたときには第二のハイパスフィルタ１４を選択してローパスフィルタと第二のハイパスフィルタとを直列に接続すると共に第二の帯域通過手段を構成するようにしている。
【００２８】
この結果、信号レベル制御手段１に入力される中間周波信号がアナログテレビジョン信号に基づくものであれば、映像中間周波信号のみが検波手段８に入力される。
一方、信号レベル制御手段１に入力される中間周波信号がデジタルテレビジョン信号に基づくものであれば、中間周波数帯の全体域における信号が検波手段８に入力され、正確な検波電圧が得られる。
【００２９】
【発明の効果】
以上のように、本発明のＡＧＣ回路は、信号レベル制御手段の出力端と検波手段の入力端との間には、受信チャンネルの中間周波数帯における音声中間周波数の信号の通過を阻止して映像中間周波数の信号を通過する第一の帯域通過手段と、少なくとも前記受信チャンネルの中間周波数帯における全ての信号を通過する第二の帯域通過手段とからなる帯域選択手段を設け、前記信号レベル制御手段に前記アナログテレビジョン信号に基づく中間周波数帯のテレビジョン信号が入力されたときには前記第一の帯域通過手段を介して前記中間周波数帯のテレビジョン信号を前記検波手段に入力し、前記デジタルテレビジョン信号に基づく中間周波数帯のテレビジョン信号が入力されたときには前記第二の帯域通過手段を介して前記中間周波数帯のテレビジョン信号を前記検波手段に入力したので、アナログテレビジョン信号に基づく中間周波数帯のテレビジョン信号又はデジタルテレビジョン信号に基づく中間周波数帯のテレビジョン信号のいずれを送信する場合でも、正確なＡＧＣ電圧をえることができる。
【００３０】
また、本発明のＡＧＣ回路は、第一の帯域通過手段を第一のバンドパスフィルタで構成し、信号レベル制御手段を検波手段に接続するバイパス線路で第二の帯域通過手段を構成したので、簡単な構成で、アナログテレビジョン信号に基づく中間周波数帯のテレビジョン信号又はデジタルテレビジョン信号に基づく中間周波数帯のテレビジョン信号を検波手段に入力できる。
【００３１】
また、本発明のＡＧＣ回路は、第一の帯域通過手段を第一のバンドパスフィルタで構成し、中間周波数帯域を通過帯域とする第二のバンドパスフィルタで第二の帯域通過手段を構成したので、デジタルテレビジョン信号に基づく中間周波数帯のテレビジョン信号を検波する際には、中間周波数帯域外の信号による誤った検波電圧を検波することもない。
【００３２】
また、本発明のＡＧＣ回路は、帯域選択手段には中間周波数帯域のほぼ最高周波数をカットオフ周波数とするローパスフィルタと、音声中間周波数と映像中間周波数との間にカットオフ周波数を有する第一のハイパスフィルタと、中間周波数帯のほぼ最低周波数をカットオフ周波数とする第二のハイパスフィルタとを設け、信号レベル制御手段に前記アナログテレビジョン信号に基づく中間周波数帯の信号が入力されたときにはローパスフィルタと第一のハイパスフィルタとを直列に接続すると共に第一の帯域通過手段を構成し、デジタルテレビジョン信号の基づく中間周波数帯の信号が入力されたときにはローパスフィルタと第二のハイパスフィルタとを直列に接続すると共に第二の帯域通過手段を構成したので、二つのハイパスフィルタの切替のみで第一又は第二の帯域通過手段を構成できる。
【図面の簡単な説明】
【図１】本発明のＡＧＣ回路における第一の実施の形態の構成を示す回路図である。
【図２】本発明のＡＧＣ回路における第二の実施の形態の構成を示す回路図である。
【図３】本発明のＡＧＣ回路における第三の実施の形態の構成を示す回路図である。
【図４】従来のＡＧＣ回路の構成を示す回路図である。
【符号の説明】
１  レベル制御手段
２  帯域選択手段
３  第一のバンドパスフィルタ（第一の帯域通過手段）
４  バイパス線路（第二の帯域通過手段）
５、６  切替手段
７  中間周波増幅回路
８  検波手段
８ａ、８ｂ  検波ダイオード
９  直流増幅回路
１１  第二のバンドパスフィルタ（第二の帯域通過手段）
１２  ローパスフィルタ
１３  第一のハイパスフィルタ
１４  第二のハイパスフィルタ
【図１】
0003668655.tif 000002
【図２】
0003668655.tif 000003
【図３】
0003668655.tif 000004
【図４】
0003668655.tif 000005